(57)【要約】【課題】吸収性物品の適切な装着位置の指標を形成することにより、背側からの便の漏れを防止又は抑制できるようにする。【解決手段】液保持性の吸収体５６とこの吸収体５６の肌対向面側に液透過性のトップシート３０とを有する吸収性物品であって、前記トップシート３０を透過した体液を前記吸収体３０へ移行させる中間シートを有し、前記吸収性物品の背側において、前記吸収体３０の少なくとも背側端縁から前後方向中央側に向かう指標領域ＴＺに、前記トップシート３０を通して視認可能な有色の体液の吸収剤Ｑが前記中間シートに設けられている。【選択図】図９
2020156837.tif 000002
【特許請求の範囲】
【請求項１】
液保持性の吸収体とこの吸収体の肌対向面側に液透過性のトップシートとを有する吸収性物品であって、
前記トップシートを透過した体液を前記吸収体へ移行させる中間シートを有し、
前記吸収性物品の背側において、前記吸収体の少なくとも背側端縁から前後方向中央側に向かう指標領域に、前記トップシートを通して視認可能な有色の体液の吸収剤が前記中間シートに設けられている、
ことを特徴とする吸収性物品。
【請求項２】
前記指標領域の長さ範囲は、吸収体の少なくとも背側端縁から、吸収体の前後方向長さＡＬを基準として、ＡＬ／３．５〜ＡＬ／２．０である請求項１記載の吸収性物品。
【請求項３】
前記中間シートが、前記トップシート側のセカンドシートと、前記吸収体を包む包装シートとを有し、前記セカンドシート及び前記包装シートの少なくとも一方に前記吸収剤が設けられている請求項１又は２記載の吸収性物品。
【請求項４】
前記トップシートの非肌側面にも前記吸収剤が設けられている請求項１記載の吸収性物品。
【請求項５】
前記トップシートは多数の開孔を有する不織布からなる請求項１記載の吸収性物品。
【請求項６】
前記中間シートが、前記トップシート側のセカンドシートと、前記吸収体を包む包装シートと、前記セカンドシートと前記包装シートの間のサードシートとを有し、少なくとも前記サードシートに前記吸収剤が設けられている請求項１又は２記載の吸収性物品。
【請求項７】
前記吸収剤は、成分組成としてグリセリンを７０質量％以上含み、添加剤として、乳化剤、リン酸エステル、パラフィン及び界面活性剤の群から選ばれた一種又は複数種の添加剤を含む請求項１記載の吸収性物品。
【請求項８】
前記吸収性物品は、使い捨ておむつの使用面側に設置して使用する使い捨てパッドであり、前記使い捨てパッドの前後方向片側が背側である旨の表示を有している、請求項１記載の吸収性物品。
【発明の詳細な説明】
【技術分野】
【０００１】
本発明は、体液を吸収する吸収性物品、特に使い捨ておむつに関するものである。
【背景技術】
【０００２】
吸収性物品、特に新生児用の使い捨ておむつにおいては、軟便漏れが発生しやすい。
漏れの要因として紙おむつ製品自体の物的要因と人的要因が挙げられる。
【０００３】
前記の物的要因を解消する対策としては、便ポケットの付与や、トップシートに薬剤を塗布して、軟便の通液を改善している。
一方で、人的要因としては紙おむつの装着に慣れていない初心者が（第一子出産の母親や父親など）、適切な位置に装着できず漏れるケースがみられる。
【０００４】
特許文献１には、サイドフラップの股下部に裏面シートに着色図形を印刷し、適切な位置で着用するための目印とするもので、肌面側から視認できるものとしている。
【先行技術文献】
【特許文献】
【０００５】
【特許文献１】特開２０１４−１４４０５０号公報
【発明の概要】
【発明が解決しようとする課題】
【０００６】
特許文献１のものは、「サイドフラップの股下部」を適切な装着位置の指標とするものであり、軟便が背側から漏れやすいことを考慮していないと思われる。
また、着色図形は、軟便の吸収性などに関係しないものと思われる。
【０００７】
したがって、本発明の主たる課題は、吸収性物品の適切な装着位置の指標を形成することにより、背側からの便の漏れを防止又は抑制できるようにすることができる吸収性物品を提供することにある。
【課題を解決するための手段】
【０００８】
上記課題を解決した吸収性物品の主要な態様は次のとおりである。
液保持性の吸収体とこの吸収体の肌対向面側に液透過性のトップシートとを有する吸収性物品であって、
前記トップシートを透過した体液を前記吸収体へ移行させる中間シートを有し、
前記吸収性物品の背側において、前記吸収体の少なくとも背側端縁から前後方向中央側に向かう指標領域に、前記トップシートを通して視認可能な有色の体液の吸収剤が前記中間シートに設けられている、
ことを特徴とする吸収性物品。
【０００９】
使い捨ておむつにおいては、特に軟便が背側から漏れやすい。この漏れの原因は、着用者の臀部から腰部にかけての領域が、吸収体の背側に対して、位置的に整合していないことが理由の一つとしてあることが判明した。
しかるに、第１の態様に従って、吸収体の少なくとも背側端縁から前後方向中央側に向かう指標領域に、前記トップシートを通して視認可能な有色の体液の吸収剤が前記中間シートに設けられていると、仰向けに寝た状態で指標領域との位置合わせをでき、例えば着用者により指標領域が隠れることをもって位置合わせができたものとすることができる。
かかる位置合わせは、紙おむつの装着に慣れていない初心者でも容易である。
また、単に着色剤を適用するのではなく、トップシートを通して視認可能な有色の体液の吸収剤を使用するものであるから、体液の吸収を図り、吸収体側への移行を促進することができ、吸収性物品の適切位置での装着機能と併せたものとなり、実用性が高い。
【００１０】
本発明に係る中間シートとしては、前記トップシート側のセカンドシートと、前記吸収体を包む包装シートとを有する形態がある。
また、前記セカンドシートと前記包装シートの間のサードシートとを有する形態がある。
これらの場合において、セカンドシートに吸収剤を設ける形態、サードシートに吸収剤を設ける形態、包装シートに吸収剤を設ける形態があり、さらに複数のシートに吸収剤を設ける形態であってもよい。
特に好ましいのはセカンドシートに吸収剤を設ける形態である。
【００１１】
軟便などの体液の吸収性を高めるために、トップシートは多数の開孔を有する不織布からなるものが好ましい。
【００１２】
吸収剤としては、親水性の薬液を含むものが望ましい。例えば、成分組成としてグリセリンを主体とするものが好ましい。例えばグリセリン７０質量％以上含み、添加剤として、乳化剤、リン酸エステル、パラフィン及び界面活性剤の群から選ばれた一種又は複数種の添加剤を含むものを吸収剤とすることができる。
【００１３】
後述の実施例で示すように、トップシートと吸収体との間にあって、トップシートを透過した体液を吸収体へ移行させる中間シートに、グリセリンを主体とする吸収剤が設けられていると、体液（例えば軟便）を素早く吸収体に吸収するようになることを知見した。
かかる吸収剤が体液を素早く吸収体に吸収するように機能すると、便成分のトップシートでの目詰まりが軽減し、着用者の肌が荒れる、特にかぶれがしばしば問題となることを防止又は軽減する。
【００１４】
着用者の肌が荒れる、特にかぶれの要因として、おむつの装着時の肌との摩擦、長時間装着に伴う体液、排泄物（尿・軟便）からの肌が受ける刺激を挙げることができる。肌が長時間、軟便と接触することによる刺激による要因は特に大きい。これを抑制するためには、おむつが軟便を素早く吸収体に吸収することである。おむつが軟便を素早く吸収体に吸収することができれば、肌の刺激が低減するばかりでなく、脚部や背部からの漏れを防止することに役立つ。
トップシートを通して軟便の吸収を阻害する要因の第一は、便成分がトップシートを透過する際に、透過できなかった成分がトップシートを構成する繊維の表面部に残留し、トップシートが目詰まりすることである。第二に、排便速度がおむつの吸収速度を上回り、吸収できずトップシート上に残留することである。
トップシート上への軟便成分の残留は、軟便成分がトップシート上を滑り、便漏れの結果を招くことがある。
したがって、おむつが軟便を素早く吸収体に吸収するようにすることはきわめて重要であり、ここに本発明に従って吸収剤を中間シートに設けることの技術意義がある。
【００１５】
吸収性物品が、使い捨ておむつの使用面側に設置して使用する使い捨てパッドである場合、その形状からして前後の区別がつきにくい。
そこで、使い捨てパッドの前後方向片側が背側である旨の表示を有している構成とするのが望ましい。
【発明の効果】
【００１６】
本発明によれば、吸収性物品の適切な装着位置の指標を形成することにより、背側からの便の漏れを防止又は抑制できるようにすることができる。
【図面の簡単な説明】
【００１７】
【図１】テープタイプ使い捨ておむつの内面を示す、おむつを展開した状態における平面図である。
【図２】テープタイプ使い捨ておむつの外面を示す、おむつを展開した状態における平面図である。
【図３】図１の前後方向中央断面図である。
【図４】図１の前後方向端部断面図である。
【図５】実施の形態の例１の要部説明図である。
【図６】実施の形態の例２の要部説明図である。
【図７】実施の形態の例３の要部説明図である。
【図８】実施の形態の要部説明図である。
【図９】第１の指標例の平面図である。
【図１０】第２の指標例の平面図である。
【発明を実施するための形態】
【００１８】
＜使い捨ておむつの構成例＞
本発明の吸収性物品としてのテープタイプ使い捨ておむつの構成例を図１〜図５に示した。
使い捨ておむつの一例を示しており、図中の符号Ｘは連結テープを除いたおむつの全幅を示しており、符号Ｌはおむつの全長を示しており、断面図における点模様部分はその表側及び裏側に位置する各構成部材を接合する接合手段としてのホットメルト接着剤を示している。
ホットメルト接着剤は、スロット塗布、連続線状又は点線状のビード塗布、スパイラル状、Ｚ状等のスプレー塗布、又はパターンコート（凸版方式でのホットメルト接着剤の転写）等、公知の手法により塗布することができる。これに代えて又はこれとともに、弾性部材の固定部分では、ホットメルト接着剤を弾性部材の外周面に塗布し、弾性部材を隣接部材に固定することができる。ホットメルト接着剤としては、例えばＥＶＡ系、粘着ゴム系（エラストマー系）、オレフィン系、ポリエステル・ポリアミド系などの種類のものが存在するが、特に限定無く使用できる。各構成部材を接合する接合手段としてはヒートシールや超音波シール等の素材溶着による手段を用いることもできる。
【００１９】
このテープタイプ使い捨ておむつは、前後方向ＬＤの中央を含む股間部と、前後方向ＬＤの中央より前側に延びる腹側部分Ｆと、前後方向ＬＤの中央より後側に延びる背側部分Ｂとを有している。
このテープタイプ使い捨ておむつは、股間部を含む範囲に内蔵された吸収体５６と、吸収体５６の表側を覆う液透過性のトップシート３０と、吸収体５６の裏側を覆う液不透過性シート１１と、液不透過性シートの裏側を覆い、製品外面を構成する外装不織布１２とを有するものである。
【００２０】
他方、腹側部分Ｆから背側部分Ｂにかけての幅方向両側には、吸収体５６を有しないサイドフラップ部ＳＦが形成されており、腹側部分Ｆの外面に着脱可能に連結される連結テープ１３を有している。装着状態では、連結テープ１３が腹側部分Ｆの外面に連結される。また、図示例のテープタイプ使い捨ておむつは、吸収体５６の前側及び後側にそれぞれ延出する、吸収体５６を有しない一対のエンドフラップ部ＥＦを有している。
【００２１】
以下、各部の素材及び特徴部分について順に説明する。
（吸収体）
吸収体５６は、排泄液を吸収し、保持する部分であり、繊維の集合体により形成することができる。この繊維集合体としては、綿状パルプや合成繊維等の短繊維を積繊したものの他、セルロースアセテート等の合成繊維のトウ（繊維束）を必要に応じて開繊して得られるフィラメント集合体も使用できる。繊維目付けとしては、綿状パルプや短繊維を積繊する場合は、例えば１００〜３００ｇ／ｍ2程度とすることができ、フィラメント集合体の場合は、例えば３０〜１２０ｇ／ｍ2程度とすることができる。合成繊維の場合の繊度は、例えば、１〜１６ｄｔｅｘ、好ましくは１〜１０ｄｔｅｘ、さらに好ましくは１〜５ｄｔｅｘである。フィラメント集合体の場合、フィラメントは、非捲縮繊維であってもよいが、捲縮繊維であるのが好ましい。捲縮繊維の捲縮度は、例えば、２．５４ｃｍ当たり５〜７５個、好ましくは１０〜５０個、さらに好ましくは１５〜５０個程度とすることができる。また、均一に捲縮した捲縮繊維を用いることができる。
【００２２】
（高吸収性ポリマー粒子）
吸収体５６には、その一部又は全部に高吸収性ポリマー粒子を含有させることができる。高吸収性ポリマー粒子とは、「粒子」以外に「粉体」も含む。高吸収性ポリマー粒子５４としては、この種の吸収性物品に使用されるものをそのまま使用できる。高吸収性ポリマー粒子の粒径は特に限定されないが、例えば５００μｍの標準ふるい（ＪＩＳ Ｚ８８０１−１：２００６）を用いたふるい分け（５分間の振とう）、及びこのふるい分けでふるい下に落下する粒子について１８０μｍの標準ふるい（ＪＩＳ Ｚ８８０１−１：２００６）を用いたふるい分け（５分間の振とう）を行ったときに、５００μｍの標準ふるい上に残る粒子の割合が３０重量％以下で、１８０μｍの標準ふるい上に残る粒子の割合が６０重量％以上のものが望ましい。
【００２３】
高吸収性ポリマー粒子の材料としては、特に限定無く用いることができるが、吸水量が４０ｇ／ｇ以上のものが好適である。高吸収性ポリマー粒子としては、でんぷん系、セルロース系や合成ポリマー系などのものがあり、でんぷん−アクリル酸（塩）グラフト共重合体、でんぷん−アクリロニトリル共重合体のケン化物、ナトリウムカルボキシメチルセルロースの架橋物やアクリル酸（塩）重合体などのものを用いることができる。高吸収性ポリマー粒子の形状としては、通常用いられる粉粒体状のものが好適であるが、他の形状のものも用いることができる。
【００２４】
高吸収性ポリマー粒子としては、吸水速度が７０秒以下、特に４０秒以下のものが好適に用いられる。吸水速度が遅すぎると、吸収体５６内に供給された液が吸収体５６外に戻り出てしまう所謂逆戻りを発生し易くなる。
【００２５】
また、高吸収性ポリマー粒子としては、ゲル強度が１０００Ｐａ以上のものが好適に用いられる。これにより、嵩高な吸収体５６とした場合であっても、液吸収後のべとつき感を効果的に抑制できる。
【００２６】
高吸収性ポリマー粒子の目付け量は、当該吸収体５６の用途で要求される吸収量に応じて適宜定めることができる。したがって一概には言えないが、５０〜３５０ｇ／ｍ2とすることができる。ポリマーの目付け量が５０ｇ／ｍ2未満では、吸収量を確保し難くなる。３５０ｇ／ｍ2を超えると、効果が飽和するばかりでなく、高吸収性ポリマー粒子の過剰によりジャリジャリした違和感を与えるようになる。
【００２７】
（包装シート）
高吸収性ポリマー粒子の抜け出しを防止するため、あるいは吸収体５６の形状維持性を高めるために、吸収体５６は包装シート５８で包んでなる吸収要素５０として内蔵させることができる。包装シート５８としては、ティッシュペーパ、特にクレープ紙、不織布、ポリラミ不織布、小孔が開いたシート等を用いることができる。ただし、高吸収性ポリマー粒子が抜け出ないシートであるのが望ましい。
ここで、親水性薬液はティッシュペーパ、特にクレープ紙に適用すると、浸透性が高いので不織布が望ましい。クレープ紙に換えて不織布を使用する場合、親水性のＳＭＳ又はＳＭＭＳ（スパンボンド／メルトブローン／メルトブローン／スパンボンド）不織布が特に好適であり、その材質はポリプロピレン、ポリエチレン／ポリプロピレンなどを使用できる。繊維目付けは、５〜４０ｇ／ｍ2、特に１０〜３０ｇ／ｍ2のものが望ましい。
【００２８】
この包装シート５８は、図３に示すように、一枚で吸収体５６の全体を包む構造とするほか、上下２枚等の複数枚のシートで吸収体５６の全体を包むようにしてもよい包装シート５８は省略することもできる。
【００２９】
（トップシート）
トップシート３０は液透過性を有するものであり、例えば、有孔又は無孔の不織布や、多孔性プラスチックシートなどを用いることができる。また、このうち不織布は、その原料繊維が何であるかは、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維、複合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法、エアスルー法、ポイントボンド法等を例示することができる。例えば、柔軟性、ドレープ性を求めるのであれば、スパンレース法が、嵩高性、ソフト性を求めるのであれば、サーマルボンド法が、好ましい加工方法となる。
【００３０】
トップシート３０は、前後方向では製品前端から後端まで延び、幅方向ＷＤでは吸収体５６よりも側方に延びているが、例えば後述する起き上がりギャザー６０の起点が吸収体５６の側縁よりも幅方向中央側に位置する場合等、必要に応じて、トップシート３０の幅を吸収体５６の全幅より短くする等、適宜の変形が可能である。
【００３１】
（中間シート）
トップシート３０を透過した液を速やかに吸収体へ移行させるために、トップシート３０より液の透過速度が速い、中間シート（「セカンドシート」とも呼ばれている）４０を設けることができる。この中間シート４０は、液を速やかに吸収体へ移行させて吸収体による吸収性能を高め、吸収した液の吸収体からの「逆戻り」現象を防止するためのものである。中間シート４０は省略することもできる。
【００３２】
中間シート４０としては、トップシート３０と同様の素材や、スパンレース不織布、スパンボンド不織布、ＳＭＳ不織布、パルプ不織布、パルプとレーヨンとの混合シート、ポイントボンド不織布又はクレープ紙を例示できる。特にエアスルー不織布が嵩高であるため好ましい。エアスルー不織布には芯鞘構造の複合繊維を用いるのが好ましく、この場合芯に用いる樹脂はポリプロピレン（ＰＰ）でも良いが剛性の高いポリエステル（ＰＥＴ）が好ましい。目付けは１７〜８０ｇ／ｍ2が好ましく、２５〜６０ｇ／ｍ2がより好ましい。不織布の原料繊維の太さは２．０〜１０ｄｔｅｘであるのが好ましい。不織布を嵩高にするために、原料繊維の全部又は一部の混合繊維として、芯が中央にない偏芯の繊維や中空の繊維、偏芯且つ中空の繊維を用いるのも好ましい。
【００３３】
図示例の中間シート４０は、吸収体５６の幅より短く中央に配置されているが、全幅にわたって設けてもよい。また、中間シート４０は、おむつの全長にわたり設けてもよいが、図示例のように排泄位置を含む中間部分にのみ設けてもよい。
【００３４】
（液不透過性シート）
液不透過性シート１１は、特に限定されるものではないが、透湿性を有するもが好ましい。液不透過性シート１１としては、例えば、ポリエチレンやポリプロピレン等のオレフィン系樹脂中に無機充填剤を混練して、シートを成形した後、一軸又は二軸方向に延伸して得られた微多孔性シートを好適に用いることができる。また、液不透過性シート１１としては、不織布を基材として防水性を高めたものも用いることができる。
【００３５】
液不透過性シート１１は、前後方向ＬＤ及び幅方向ＷＤにおいて吸収体５６と同じか又はより広範囲にわたり延びていることが望ましいが、他の遮水手段が存在する場合等、必要に応じて、前後方向ＬＤ及び幅方向ＷＤにおいて吸収体５６の端部を覆わない構造とすることもできる。
【００３６】
（外装不織布）
外装不織布１２は液不透過性シート１１の裏側全体を覆い、製品外面を布のような外観とするものである。外装不織布１２としては特に限定されず、素材繊維としては、例えばポリエチレン又はポリプロピレン等のオレフィン系、ポリエステル系、ポリアミド系等の合成繊維の他、レーヨンやキュプラ等の再生繊維、綿等の天然繊維を用いることができ、加工法としてはスパンレース法、スパンボンド法、サーマルボンド法、エアスルー法、ニードルパンチ法等を用いることができる。ただし、肌触り及び強度を両立できる点でスパンボンド不織布やＳＭＳ不織布、ＳＭＭＳ不織布等の長繊維不織布が好適である。不織布は一枚で使用する他、複数枚重ねて使用することもできる。後者の場合、不織布相互をホットメルト接着剤等により接着するのが好ましい。不織布を用いる場合、その繊維目付けは１０〜５０ｇ／ｍ2、特に１５〜３０ｇ／ｍ2のものが望ましい。
【００３７】
（起き上がりギャザー）
トップシート３０上を伝わって横方向に移動する排泄物を阻止し、いわゆる横漏れを防止するために、表面の幅方向ＷＤの両側には、装着者の肌側に立ち上がる起き上がりギャザー６０が設けられていると好ましい。もちろん、起き上がりギャザー６０は省略することもできる。
【００３８】
起き上がりギャザー６０を採用する場合、その構造は特に限定されず、公知のあらゆる構造を採用できる。図示例の起き上がりギャザー６０は、実質的に幅方向ＷＤに連続するギャザーシート６２と、このギャザーシート６２に前後方向ＬＤに沿って伸長状態で固定された細長状のギャザー弾性部材６３とにより構成されている。このギャザーシート６２としては撥水性不織布を用いることができ、またギャザー弾性部材６３としては糸ゴム等を用いることができる。弾性部材は、図１及び図２に示すように各複数本設ける他、各１本設けることができる。
【００３９】
ギャザーシート６２の内面は、トップシート３０の側部上に幅方向ＷＤの接合始端を有し、この接合始端から幅方向外側の部分は各サイドフラップ部ＳＦの内面、つまり図示例では液不透過性シート１１の側部及びその幅方向外側に位置する外装不織布１２の側部にホットメルト接着剤などにより接合されている。
【００４０】
脚周りにおいては、起き上がりギャザー６０の接合始端より幅方向内側は、製品前後方向両端部ではトップシート３０上に固定されているものの、その間の部分は非固定の自由部分であり、この自由部分が弾性部材６３の収縮力により立ち上がり、身体表面に密着するようになる。
【００４１】
（平面ギャザー）
各サイドフラップ部ＳＦには、糸ゴム等の細長状弾性部材からなるサイド弾性部材６４が前後方向ＬＤに沿って伸長された状態で固定されており、これにより各サイドフラップ部ＳＦの脚周り部分が平面ギャザーとして構成されている。脚周り弾性部材６４は、図示例のように、ギャザーシート６２の接合部分のうち接合始端近傍の幅方向外側において、ギャザーシート６２と液不透過性シート１１との間に設けるほか、サイドフラップ部ＳＦにおける液不透過性シート１１と外装不織布１２との間に設けることもできる。脚周り弾性部材６４は、図示例のように各側で複数本設ける他、各側に１本のみ設けることもできる。
【００４２】
（連結テープ）
背側部分Ｂには、腹側部分Ｆの外面に対して着脱可能に連結される連結手段としての連結テープ１３がそれぞれ設けられている。おむつの装着に際しては、連結テープ１３を腰の両側から腹側部分Ｆの外面に回して、連結テープ１３の連結部１３Ａを腹側部分Ｆ外面の適所に連結する。
【００４３】
連結テープ１３の構造は特に限定されないが、テープ取付部１３Ｃから突出するテープ本体部と、幅方向中間部に設けられた連結部１３Ａとを有し、この連結部１３Ａより先端側が摘み部となっている。連結テープ１３の形状も特に限定されるものではないが、テープ取付部１３Ｃは前後方向寸法が最も長くかつ一定の部分を有し、テープ本体部は先端に向かうにつれて細くなるテーパー形状とすることができる。
【００４４】
連結部１３Ａとしては、メカニカルファスナー（面ファスナー）のフック材（雄材）を設ける他、粘着剤層を設けてもよい。フック材は、その連結面に多数の係合突起を有するものであり、係合突起の形状としては、（Ａ）レ字状、（Ｂ）Ｊ字状、（Ｃ）マッシュルーム状、（Ｄ）Ｔ字状、（Ｅ）ダブルＪ字状（Ｊ字状のものを背合わせに結合した形状のもの）等が存在するが、いずれの形状であっても良い。
【００４５】
また、テープ取付部１３Ｃからテープ本体部までを形成するシート基材としては、不織布、プラスチックフィルム、ポリラミ不織布、紙やこれらの複合素材を用いることができるが、繊度１．０〜３．５ｄｔｅｘ、目付け２０〜１００ｇ／ｍ2、厚み１ｍｍ以下のスパンボンド不織布、エアスルー不織布、又はスパンレース不織布が好ましい。
【００４６】
（ターゲット部）
腹側部分Ｆにおける連結テープ１３の連結箇所には、ターゲット部を設けることが好ましい。ターゲット部は、図示例のように、連結を容易にするためのターゲットシート２０を腹側部分Ｆの外面に貼り付けることにより設けることができる。ターゲットシート２０は、連結部１３Ａがフック材の場合、フック材の係合突起が絡まるようなループ糸がプラスチックフィルムや不織布からなるシート基材の表面に多数設けられたものを用いることができ、また粘着材層の場合には粘着性に富むような表面が平滑なプラスチックフィルムからなるシート基材の表面に剥離処理を施したものを用いることができる。また、腹側部分Ｆにおける連結テープ１３の連結箇所が不織布からなる場合、例えば図示例のように外装不織布１２を有する場合には、ターゲットシート２０を省略し、フック材を外装不織布１２の繊維に絡ませて連結することもできる。この場合、目印としてのターゲットシート２０を外装不織布１２と液不透過性シート１１との間に設ける他、外装不織布１２や液不透過性シート１１の外面に目印を印刷してもよい。
【００４７】
＜吸収剤＞
次に本発明の実施の形態を説明する。
実施の形態は、トップシート３０を透過した体液を吸収体５６へ移行させる中間シートに、トップシート３０を通して視認可能な有色の体液の吸収剤Ｑが設けられているものである。
【００４８】
要部のみについて模式的にあらわした図５に示すように、トップシート３０と吸収体５６との間にあって、トップシート３０を透過した体液を吸収体５６へ移行させる中間シートに、例えばグリセリンを主体とする吸収剤Ｑが設けられていると、後述の実施例で示すように、体液（例えば軟便）を素早く吸収体５６に吸収するようになる。
【００４９】
本発明に係る中間シートとしては、図５〜図８に示されたトップシート３０側に位置するセカンドシート４０のほか、吸収体５６を包む包装シート５８を含める態様がある。
さらに、図８に示すように、セカンドシート４０のほか、サードシート４１を設けた態様であってもよい。
【００５０】
また、セカンドシート４０に吸収剤Ｑを設けるほか、トップシート３０に吸収剤Ｑを設けることができる。
この場合、トップシート３０に肌側面に吸収剤Ｑを設けるのではなく、図６に示すように、トップシート３０の非肌側面（図６の下面）に吸収剤Ｑを設けるのが望ましい。
トップシート３０の肌側面（図６の上面）は疎水性であることが体液の液成分の拡散性を高めるのに好ましいところ、グリセリンを主体とする親水性の吸収剤を設けるとすればトップシート３０の疎水性を阻害することになるから、この形態はあまり好ましいことではない。
他方で、トップシート３０の非肌側面（図６の下面）に吸収剤Ｑを設けると、体液がトップシート５０を透過しようとする段階で、トップシート５０の非肌側面に設けられた吸収剤Ｑが中間シート４０側に受け渡すようになることで、吸収速度の向上効果が高まるものと考えられる。
【００５１】
トップシート３０が多数の開孔を有する不織布からなることで、体液が吸収されやすくなり、その結果、吸収剤Ｑによる吸収速度の向上効果が高まる。
不織布の開孔としては、円や楕円などの適宜の形状とすることができる。開孔径（楕円の場合は相当直径）は０．１〜２．０ｍｍが望ましい。また、開孔の配置としては、例えば千鳥状又は格子状である。開口率としては、２〜４０％が望ましい。開孔径及び開口率が小さいと体液の透過性が十分でない傾向にある。開孔径及び開口率が過度に大きいと、一旦吸収要素が吸収した体液がトップシート表面に戻ってしまう逆戻りを生じる可能性がある。
【００５２】
前述のように、本発明に係る中間シートとしては、トップシート３０側に位置するセカンドシート４０のほか、吸収体５６を包む包装シート５８を含めることができる。すなわち、包装シート５８の肌側面に吸収剤Ｑを設けることができる。
【００５３】
この態様の下で、図７に示すように、さらにトップシート３０に、好ましくは非肌側面に吸収剤Ｑを設けることができる。
吸収剤Ｑを配置するシートが複数層である場合において、吸収剤Ｑの塗布量に、例えば次のように勾配を設けることが望ましい。この態様が好ましい理由は、塗布量の勾配が吸収剤Ｑによる体液の移行速度に関係するからである。
トップシート≪中間シート＜包装シート
また、サードシートを設ける場合には、次の関係が好ましい。
トップシート≪中間シート＜サードシート＜包装シート
塗布量としては、セカンドシート４０を例にとれば、０．０２ｇ／ｍ2以上とすることが好ましく、０．０５ｇ／ｍ2以上とすることが更に好ましく、そして、３．００ｇ／ｍ2以下とすることが好ましく、１．５０ｇ／ｍ2以下とすることが更に好ましく、具体的には、０．０５ｇ／ｍ2以上１．２０ｇ／ｍ2以下とすることが好ましい。
【００５４】
本発明に係る吸収剤としては、親水性薬液成分を含むものが好ましい。例えばグリセリンを主体とするものであり、特に成分組成としてグリセリンを７０質量％以上、さらに好ましくは８５質量％以上含み、添加剤として、乳化剤、リン酸エステル、グリセリン脂肪酸エステル、パラフィン及び界面活性剤の群から選ばれた一種又は複数種の添加剤を含む態様とすることができる。
界面活性剤としては、エーテル型非イオン系界面活性剤、ＥＯ／ＰＯ型を含む非イオン系界面活性剤が好ましい。
【００５５】
吸収剤の配置にあたっては、トップシートと中間シートとがホットメルト接着剤によるストライプ状又はスパイラル状などによる接着がなされている場合には、吸収性物品の幅方向に間隔をおいて前後方向に延びるストライプ状の塗布が好ましい。トップシートと中間シートとが熱エンボスによって接合されている場合には、ストライプ状又はスパイラル状のほか、対象領域全面へのスプレー塗布でもよい。
他方、トップシート３０の非肌面に吸収剤を設ける場合、例えば中間シート４０への吸収剤への適用のみとし、吸収性物品の包装時又は保管時に受ける圧縮力、あるいは着用者の使用時の圧縮力を利用して、吸収剤の一部をトップシート３０の非肌面に転写することによって適用するようにしてもよい。
【００５６】
（装着指標）
本発明では、有色の体液の吸収剤の適用域を指標として、使い捨て吸収性物品、例えば使い捨ておむつの適切な着用の位置を定めるのに利用しようとするものである。
【００５７】
かかる指標領域としては、例えば図９及び図１０に示すように、吸収性物品の背側において、吸収体５６の少なくとも背側端縁５６ｂから前後方向中央側に向かう領域を指標領域ＴＺとすることができる。
指標領域ＴＺの前後方向長さａ範囲は、吸収体５６の少なくとも背側端縁５６ｂから、吸収体５６の前後方向長さＡＬを基準として、ＡＬ／３．５〜ＡＬ／２．０とするのが望ましい。
過度に短いと指標として視認しずらい。例えば腹側に達するなど、過度に長いと指標として視認しずらいとともに、使用者に違和感を与えるようになり、望ましくない。
指標領域ＴＺの幅方向長さｂ範囲は、吸収剤Ｑを塗布する資材の影響を受け、吸収体５６の少なくとも中間シートの幅が最短となり、吸収体包装シートの幅が最長となる。いずれにしても、指標領域ＴＺの幅方向長さｂは、吸収体５６の幅ＡＷを基準として、ＡＷ／２．５〜ＡＷ／１．５とするのが望ましい。
吸収体は長方形以外の形状であってもよく、砂時計形状などでもよい。長さ方向の中央に凹凸や幅方向に凹みを有するものでもよい。これらを踏まえて、前後方向長さａ及び幅方向長さｂは、吸収体５６の前後方向長さＡＺ及び幅方向長さＡＷの一番長い数値を基準とする。
【００５８】
かかる指標領域の幅方向長に限定はないが、起き上がりギャザー６０、６０の中央側の縁間にあるのが望ましい。
吸収剤Ｑの適用形態としては、全面塗布ではなく、例えばストライプなどの間欠的なものが望ましい。例えばセカンドシートに親水性の薬液が全面塗布されていると、前後方向の拡散性を阻害するおそれがあるからである。
【００５９】
吸収剤Ｑの具体的な適用形態として、図９には斜め格子状のストライプを形態を示した。図１０には、前後方向に向かう縦ストライプ形態を示した。
斜め格子状のストライプの寸法は、1本あたり幅２ｍｍ〜５ｍｍ、新生児サイズと仮定すると全面では幅５０ｍｍ〜７０ｍｍ長さ１００ｍｍ〜１２０ｍｍが好ましい。縦ストライプの寸法は、1本あたり幅２ｍｍ〜１０ｍｍ、新生児サイズと仮定すると全面では幅５０ｍｍ〜７０ｍｍ長さ１００ｍｍ〜１２０ｍｍが好ましい。
いずれの形態においても、仰向けに寝た状態で指標領域ＴＺとの位置合わせをでき、例えば着用者により指標領域ＴＺが隠れることをもって位置合わせができたものとすることができる。
図１０に示す形態では、幅方向の位置合わせが容易となる。
【００６０】
有色の体液の吸収剤とする対象のシートとしては、セカンドシート、サードシート及び包装シートのすべてとするのではなく、視認がより容易である例えばセカンドシートとするのが望ましい。
【００６１】
次に実施例を示す。
（実験例１）
図１〜図４に示す構造であって、図５、図６及び図７に示すように吸収剤Ｑの配置形態を替えた３種類の使い捨ておむつ構成の下で、擬似軟便を、開孔を有するトップシートの上方から流下させて吸収特性を調査した。なお、吸収剤を配置していない使い捨ておむつも用意し、比較例とした。
合計４種類の使い捨ておむつについては、それぞれ５サンプルを用意し、吸収試験を行った。
【００６２】
具体的な吸収試験は、使い捨ておむつを展開状態にしその背側に直径７ｃｍの筒を置き、２０ｍｌの擬似軟便を流入させると同時に吸収速度の測定開始時とした。擬似軟便は筒から平板の開口を通って、トップシートを透過し始める。吸収速度の測定開始時から３０秒後に筒を取り除き、トップシート表面の水分が無くなったことを確認した時点を、吸収速度の測定終了とする。
擬似軟便を流入して３分後に使い捨ておむつの背側にろ紙１０ｃｍ×１０ｃｍを１０枚重ね、その上から１ｋｇのおもり１０ｃｍ×１０ｃｍを置き、６０秒後にろ紙側に移行する液の吸収に伴う重量増分を逆戻り量とする。
その後に、使い捨ておむつを解体し、背側の吸収体が存在する幅８ｃｍ×前後方向１５ｃｍの測定領域を切り取り、吸収体、包装シート、中間シート（セカンドシート）、トップシートのそれぞれについて、液の吸収に伴う重量増分を算出した。この場合、測定領域の重量は既知であるから、重量増分として算出できる。
擬似軟便としては、公知のヨーグルト系擬似軟便を使用した。ここでは、市販のヨーグルト２、イオン交換水３の質量割合で、粘度：３００ｍＰａ・ｓに粘度調整したものを使用した。
【００６３】
４種類の使い捨ておむつの吸収試験の結果を表１に示す。
【表１】
2020156837.tif 000003
この結果から、中間シートに本発明に係る吸収剤を適用することにより、使い捨ておむつが軟便を素早く吸収体に吸収し、表面に軟便を残留させにくくすることに有効であることが判明した。
【００６４】
また、吸収剤の種類を換えた吸収試験の結果を表２に示す。表には例１の結果を再掲した。グリセリンとは異なる吸収剤Ｑの比較として、比較例２は図５の形態において、エーテル型非イオン系界面活性剤を適用したものである。比較例３は図５の形態において、ＥＯ／ＰＯ型を含む非イオン系界面活性剤を適用したものである。
【表２】
2020156837.tif 000004
この結果から、本発明に係る吸収剤は、この技術分野で親水性の界面活性剤として使用されるものと比較して、吸収速度が高く、表面に軟便を残留させにくいものであることが判明した。
【００６５】
（明細書中の用語の説明）
明細書中の以下の用語は、明細書中に特に記載が無い限り、以下の意味を有するものである。
・符号「ＬＤ」は吸収性物品の前後方向を、ＷＤは幅方向を示す。前後方向と幅方向とは直交するものである。
【００６６】
・「展開した状態」とは、収縮や弛み無く平坦に展開した状態を意味する。
【００６７】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【００６８】
・試験や測定における環境条件についての記載が無い場合、その試験や測定は、標準状態（試験場所は、温度２３±１℃、相対湿度５０±２％）の試験室又は装置内で行うものとする。
【産業上の利用可能性】
【００６９】
本発明は、上記例のようなテープタイプ使い捨ておむつの他、パンツタイプ、パッドタイプ等の各種使い捨ておむつのほか、生理用ナプキン、スイミングや水遊び用の使い捨て着用物品等、使い捨て着用物品全般に利用できるものである。
【符号の説明】
【００７０】
１０…脚周り縁、１１…液不透過性シート、１２…外装不織布、１３…連結テープ、２０…ターゲットシート、３０…トップシート、４０…中間シート、５０…吸収要素、５６…吸収体、５８…包装シート、６０…起き上がりギャザー、６２…ギャザーシート、Ｂ…背側部分、Ｆ…腹側部分、ＷＤ…幅方向、ＬＤ…前後方向、ＳＦ…サイドフラップ部、ＡＬ…吸収剤長さ、ＴＺ…指標領域、Ｑ…吸収剤。
【図１】
2020156837.tif 000005
【図２】
2020156837.tif 000006
【図３】
2020156837.tif 000007
【図４】
2020156837.tif 000008
【図５】
2020156837.tif 000009
【図６】
2020156837.tif 000010
【図７】
2020156837.tif 000011
【図８】
2020156837.tif 000012
【図９】
2020156837.tif 000013
【図１０】
2020156837.tif 000014